(57)【要約】【課題】ユーザ操作が所定期間無いときに、消去対象となる映像音声情報を消去する。【解決手段】映像音声情報記録再生装置は、ユーザ操作が所定期間無いことを検出する入力操作有無検出部１２と、上記ユーザ操作検出手段が上記検出をしたとき、記憶手段に記録されている映像音声情報の中から、消去する候補となる１または複数の映像音声情報を選出する消去候補リスト生成部１３と、上記選出した映像音声情報を上記記憶手段から消去する記録データ更新部１４とを備える。これにより、ユーザ操作が所定期間無い毎に、不要な映像音声情報を消去することができ、記憶手段の残容量を増やすことできる。【選択図】図１
2008234812.tif 000002
【特許請求の範囲】
【請求項１】
映像および音声の少なくとも一方を含む複数の映像音声情報を記憶する記憶手段と、該記録した映像音声情報を再生する表示手段とを備える映像音声情報記録再生装置であって、
ユーザ操作が所定期間無いことを検出するユーザ操作検出手段と、
上記記憶手段に記録されている映像音声情報の中から、消去する候補となる１または複数の映像音声情報を選出する消去候補選出手段と、
上記ユーザ操作検出手段が上記検出をしたとき、上記消去候補選出手段によって選出した映像音声情報を上記記憶手段から消去する映像音声情報消去手段とを備えることを特徴とする映像音声情報記録再生装置。
【請求項２】
上記消去候補選出手段が選出した映像音声情報を特定するための識別情報をユーザに提示する映像音声情報提示手段をさらに備え、
上記提示した識別情報によって特定される映像音声情報の中から、ユーザ操作により指定された映像音声情報を、上記映像音声情報消去手段が上記記憶手段から消去することを特徴とする請求項１に記載の映像音声情報記録再生装置。
【請求項３】
上記消去候補選出手段が、映像音声情報の属性情報に基づく優先度に従って、消去する候補となる映像音声情報を選出することを特徴とする請求項１または２に記載の映像音声情報記録再生装置。
【請求項４】
上記映像音声情報の属性情報が、該映像音声情報を記録した時刻情報であることを特徴とする請求項３に記載の映像音声情報記録再生装置。
【請求項５】
上記映像音声情報の属性情報が、該映像音声情報が上記消去候補選出手段によって選出されたが、ユーザ操作により指定されなかったため、上記映像音声情報消去手段が上記記憶手段から消去しなかったものであることを示す情報であることを特徴とする請求項３に記載の映像音声情報記録再生装置。
【請求項６】
上記ユーザ操作検出手段が、上記表示手段に映像音声情報を再生する画面以外の画面を表示したとき、ユーザ操作が無いことの検出を開始することを特徴とする請求項１から５のいずれか１項に記載の映像音声情報記録再生装置。
【請求項７】
上記ユーザ操作検出手段が、自装置の電源が投入されたとき、ユーザ操作が無いことの検出を開始することを特徴とする請求項１から６のいずれか１項に記載の映像音声情報記録再生装置。
【請求項８】
上記映像音声情報提示手段が、上記消去候補選出手段が選出した映像音声情報を上記表示手段にて再生することを特徴とする請求項１から７のいずれか１項に記載の映像音声情報記録再生装置。
【請求項９】
上記消去候補選出手段が互いに関連する複数の映像音声情報を選出したとき、上記映像音声情報提示手段が、上記互いに関連する複数の映像音声情報のうちのいずれか１つの映像音声情報を上記表示手段にて再生することを特徴とする請求項８に記載の映像音声情報記録再生装置。
【請求項１０】
上記映像音声情報提示手段が、上記表示手段にて再生する映像音声情報を、該映像音声情報の内容に応じて予め定められた再生開始位置から再生を開始することを特徴とする請求項８または９に記載の映像音声情報記録再生装置。
【請求項１１】
映像および音声の少なくとも一方を含む複数の映像音声情報を記憶手段に記録し、該記録した映像音声情報を再生する映像音声情報記録再生装置の映像音声情報記録再生方法であって、
ユーザ操作が所定期間無いことを検出するユーザ操作検出ステップと、
上記ユーザ操作検出手段が上記検出をしたとき、上記記憶手段に記録されている映像音声情報の中から、消去する候補となる１または複数の映像音声情報を選出する消去候補選出ステップと、
上記選出した映像音声情報を上記記憶手段から消去する映像音声情報消去ステップとを含むことを特徴とする映像音声情報記録再生方法。
【請求項１２】
請求項１から１０のいずれか１項に記載の映像音声情報記録再生装置を動作させるプログラムであって、コンピュータを上記の各手段として機能させるためのプログラム。
【請求項１３】
請求項１２に記載のプログラムを記録したコンピュータ読み取り可能な記録媒体。
【発明の詳細な説明】
【技術分野】
【０００１】
本発明は、映像や音声などの情報を、ＨＤＤ（Hard Disk Drive）や光ディスクなどの記憶媒体に対して記録し、再生する映像音声情報記録再生装置、映像音声情報記録再生方法、プログラム、およびプログラムを記録したコンピュータ読み取り可能な記録媒体に関するものである。
【背景技術】
【０００２】
近年、映像や音声などの情報、例えば、テレビ放送などを録画し、再生する映像音声情報記録再生装置が普及しつつある。そして、最近では、映像音声情報記録再生装置に内蔵されるＨＤＤなどの記録媒体が、１０００時間を超える映像を記録できるほど大容量になってきている。これにより、ユーザは、例えばテレビ放送を大量に録画することができるようになっている。
【０００３】
さらに、このような映像音声情報記録再生装置では、簡易な操作で録画を予約することが一般的に可能である。例えば、ＥＰＧ（Electronic Program Guide）（登録商標）と称される電子テレビ番組表に基づいて、ユーザがリモコン操作等でテレビ番組を選択することにより、簡易にテレビ番組の録画を予約することができる。
【０００４】
また、ユーザがリモコン操作等で予め入力したキーワードに基づき、テレビ番組を自動的に録画する機能も普及している。この機能によれば、ユーザが関心あるキーワードを予め入力することにより、該キーワードに一致するメタ情報を含むテレビ番組を録画することができる。
【０００５】
このように、大量に、かつ、簡易な操作でテレビ番組を録画できるため、ユーザは、録画するテレビ番組を十分に取捨選択せずに録画予約する場合がある。例えば、電子テレビ番組表に基づいて録画予約するとき、ユーザは、関心が高い番組だけでなく、関心は高くないが後で視聴する可能性が有ると判断した番組についても、録画予約することがある。また、キーワード入力により録画予約するとき、入力したキーワードを含む番組が自動的に録画されるので、ユーザが適切なキーワードを入力しなければ、ユーザの関心がない番組も録画される場合がある。
【０００６】
このように、映像音声情報記録再生装置には、ユーザの関心が高い番組だけではなく、ユーザの関心があまり高くない番組や、ユーザの関心がない番組など、多くの番組が混在して記録されることがある。このように多数の番組を録画し続けると、映像音声情報記録再生装置の記録媒体が大容量であっても、記録媒体の空き容量が少なくなってくる。また、デジタル放送番組を録画する場合、多くの容量が必要となるため、記録媒体の空き容量はさらに少なくなりやすい。
【０００７】
記録媒体の空き容量が、新たなテレビ番組を録画する容量より少なくなると、新たなテレビ番組を録画することができなくなる。そして、新たなテレビ番組を録画可能とするためには、録画済みのテレビ番組を消去し、記録媒体の空き容量を増大させる必要がある。しかしながら、録画済みのテレビ番組の中には、ユーザの関心が高く、消去したくないテレビ番組も含まれる。したがって、ユーザの関心が高いテレビ番組を消去しないようにするため、ユーザに対して、録画済みのテレビ番組毎に消去の可否を確認する必要がある。しかしながら、録画済みのテレビ番組の数が大量にある場合、このような確認作業は、ユーザの利便性を損なう。
【０００８】
そこで、映像音声情報記録再生装置における記録媒体の残容量が所定値以下になったとき、録画されてから一度も再生されていない複数のテレビ番組を、消去する候補としてユーザに提示し、ユーザに該テレビ番組の消去を促す映像音声情報記録再生装置が開示されている（特許文献１参照）。この装置によれば、すべての録画済みのテレビ番組に対して消去の可否を確認する必要がなく、ユーザは、提示されたテレビ番組の中から、消去してよいテレビ番組を選択することができる。
【特許文献１】特開２００６−１０７５７１号公報（公開日：平成１８年４月２０日）
【発明の開示】
【発明が解決しようとする課題】
【０００９】
特許文献１に開示されている映像音声情報記録再生装置によれば、録画されてから一度も再生されていないテレビ番組の中から、ユーザは、消去してよいテレビ番組を選択することができる。しかしながら、特許文献１に開示されている方法では、テレビ番組を記録したときの日時や、テレビ番組のタイトルを表示し、ユーザはその表示を見て、消去の可否を判断する。したがって、ユーザが、記録日時やタイトルだけからそのテレビ番組の内容を思い出すことができない場合や、別のテレビ番組であると誤認する場合があるという問題があった。
【００１０】
また、特許文献１における映像音声情報記録再生装置によれば、記録媒体であるＨＤＤの残容量が所定容量以下（たとえば、１０Ｍバイト以下）になったとき、ユーザに不要な番組の消去を促す。しかしながら、記録媒体の残容量が例えば１０Ｍバイト以下になった段階で不要なテレビ番組の消去をユーザに促す場合、記録されているテレビ番組の数が多いため、消去の可否を判断するユーザへの負担が大きいという問題があった。
【００１１】
さらに、記録媒体の残容量が例えば１０Ｍバイト以下になった段階で不要なテレビ番組の消去をユーザに促す場合、ユーザが消去するテレビ番組を適切に選択しなければ、記録媒体の残容量を所定値以上に増やすことができず、結果として、新たなテレビ番組を録画することができないという問題があった。
【００１２】
本発明は、上記の問題点に鑑みてなされたものであり、その目的は、ユーザ操作が所定期間無いときに、消去対象となる映像音声情報を消去することができる映像音声情報記録再生装置、映像音声情報記録再生方法、プログラム、およびプログラムを記録したコンピュータ読み取り可能な記録媒体を提供することにある。
【課題を解決するための手段】
【００１３】
上記課題を解決するために、本発明に係る映像音声情報記録再生装置は、映像および音声の少なくとも一方を含む複数の映像音声情報を記憶する記憶手段と、該記録した映像音声情報を再生する表示手段とを備える映像音声情報記録再生装置であって、ユーザ操作が所定期間無いことを検出するユーザ操作検出手段と、上記記憶手段に記録されている映像音声情報の中から、消去する候補となる１または複数の映像音声情報を選出する消去候補選出手段と、上記ユーザ操作検出手段が上記検出をしたとき、上記消去候補選出手段によって選出した映像音声情報を上記記憶手段から消去する映像音声情報消去手段とを備えることを特徴としている。
【００１４】
また、本発明に係る映像音声情報記録再生方法は、映像および音声の少なくとも一方を含む複数の映像音声情報を記憶手段に記録し、該記録した映像音声情報を再生する映像音声情報記録再生装置の映像音声情報記録再生方法であって、ユーザ操作が所定期間無いことを検出するユーザ操作検出ステップと、上記ユーザ操作検出手段が上記検出をしたとき、上記記憶手段に記録されている映像音声情報の中から、消去する候補となる１または複数の映像音声情報を選出する消去候補選出ステップと、上記選出した映像音声情報を上記記憶手段から消去する映像音声情報消去ステップとを含むことを特徴としている。
【００１５】
上記の構成によれば、ユーザ操作が所定期間無いことを検出したとき、記録済みの映像音声情報の中から、消去する候補となる映像音声情報を選出することができる。そして、上記選出した映像音声情報を上記記憶装置から消去することができる。
【００１６】
よって、ユーザ操作が所定期間無い毎に、不要な映像音声情報を消去することができる。
【００１７】
したがって、ユーザ操作が所定期間無い毎に、記憶手段の残容量を増やすことできるため、記憶手段の残容量を増やす機会が多く設けることができるという効果を奏する。そのため、新たな映像音声情報を記録するにあたり、記憶容量が不足して該新たな映像音声情報を記録できない可能性を低くすることができるという効果を奏する。
【００１８】
さらに、本発明に係る映像音声情報記録再生装置は、上記の構成において、上記消去候補選出手段が選出した映像音声情報を特定するための識別情報をユーザに提示する映像音声情報提示手段をさらに備え、上記提示した識別情報によって特定される映像音声情報の中から、ユーザ操作により指定された映像音声情報を、上記映像音声情報消去手段が上記記憶手段から消去する構成としてもよい。
【００１９】
上記の構成によれば、さらに、消去する候補となる映像音声情報として選出した映像音声情報をユーザに提示することができる。そして、ユーザ操作により、上記提示した映像音声情報を上記記憶装置から消去することができる。
【００２０】
よって、消去する候補となる映像音声情報のうち、ユーザが指示した映像音声情報のみを消去することができる。
【００２１】
したがって、ユーザが指示しない映像音声情報は記憶手段に残しつつ、記憶手段の残容量を増やすことできるという効果を奏する。
【００２２】
また、ユーザ操作が所定期間無い毎に不要な映像音声情報を消去するので、記憶装置の残容量が少なくなってから消去する候補となる映像音声情報を全て提示する場合と比較して、一度にユーザに提示される映像音声情報の数が少なく、ユーザにとって利便性が向上するという効果を奏する。
【００２３】
さらに、本発明に係る映像音声情報記録再生装置は、上記の構成において、上記消去候補選出手段が、映像音声情報の属性情報に基づく優先度に従って、消去する候補となる映像音声情報を選出する構成としてもよい。
【００２４】
上記の構成によれば、さらに、消去する候補となる優先度の高い順に映像音声情報を選出することができる。
【００２５】
よって、消去する候補となる優先度の高い順に映像音声情報を消去することができる。
【００２６】
したがって、ユーザにとって不要な映像音声情報を優先的に消去できるという効果を奏する。
【００２７】
さらに、本発明に係る映像音声情報記録再生装置は、上記の構成において、上記映像音声情報の属性情報が、該映像音声情報を記録した時刻情報である構成としてもよい。
【００２８】
上記の構成によれば、さらに、映像音声情報が記録された時刻に基づいて、消去する候補となる映像音声情報を選出することができる。
【００２９】
よって、映像音声情報が記録された時刻が過去の映像音声情報ほど優先的に消去する候補として選出することができる。
【００３０】
したがって、ユーザにとって比較的不要であろう過去の映像音声情報から優先的に消去することができるという効果を奏する。
【００３１】
さらに、本発明に係る映像音声情報記録再生装置は、上記の構成において、上記映像音声情報の属性情報が、該映像音声情報が上記消去候補選出手段によって選出されたが、ユーザ操作により指定されなかったため、上記映像音声情報消去手段が上記記憶手段から消去しなかったものであることを示す情報である構成としてもよい。
【００３２】
上記の構成によれば、さらに、映像音声情報を過去に消去しなかったことに基づいて、消去する候補となる映像音声情報を選出することができる。
【００３３】
よって、過去に消去しなかった映像音声情報は優先度を下げて、消去する候補として選出されにくくすることができる。
【００３４】
したがって、過去に消去しなかった、すなわち、ユーザにとって必要であろう映像音声情報はできるだけ残しつつ、消去する候補となる映像音声情報を消去することができるという効果を奏する。
【００３５】
さらに、本発明に係る映像音声情報記録再生装置は、上記の構成において、上記ユーザ操作検出手段が、上記表示手段に映像音声情報を再生する画面以外の画面を表示したとき、ユーザ操作が無いことの検出を開始する構成としてもよい。
【００３６】
上記の構成によれば、さらに、映像音声情報を再生する画面以外の画面を表示したときから所定期間ユーザ操作が無いことを検出することができる。
【００３７】
よって、映像音声情報を再生する画面以外の画面を表示したときから所定期間経過後に、消去する候補となる映像音声情報を選出することができる。
【００３８】
したがって、例えば、映像音声情報を選択するメニュー画面などを表示してから所定期間ユーザ操作が無いような場合に、消去する候補となる映像音声情報を選出し、選出した映像音声情報を消去することができるという効果を奏する。
【００３９】
さらに、本発明に係る映像音声情報記録再生装置は、上記の構成において、上記ユーザ操作検出手段が、自装置の電源が投入されたとき、ユーザ操作が無いことの検出を開始する構成としてもよい。
【００４０】
上記の構成によれば、さらに、自装置の電源が投入されたときから所定期間ユーザ操作が無いことを検出することができる。
【００４１】
よって、自装置の電源が投入されたときから所定期間経過後に、消去する候補となる映像音声情報を選出することができる。
【００４２】
したがって、自装置の電源が投入されたときからしばらくユーザ操作が無いとき、消去する候補となる映像音声情報を選出し、選出した映像音声情報を消去することができるという効果を奏する。
【００４３】
さらに、本発明に係る映像音声情報記録再生装置は、上記の構成において、上記映像音声情報提示手段が、上記消去候補選出手段が選出した映像音声情報を上記表示手段にて再生する構成としてもよい。
【００４４】
上記の構成によれば、さらに、消去する候補として選出した映像音声情報を表示手段に再生することができる。
【００４５】
よって、消去する候補である映像音声情報の内容をユーザが十分に理解した上で、消去の可否を指定することができる。
【００４６】
したがって、ユーザが消去の可否を容易に判断することができ、また、ユーザが残したい映像音声情報を確実に記憶手段に残しつつ、記憶手段の残容量を増やすことできるという効果を奏する。
【００４７】
さらに、本発明に係る映像音声情報記録再生装置は、上記の構成において、上記消去候補選出手段が互いに関連する複数の映像音声情報を選出したとき、上記映像音声情報提示手段が、上記互いに関連する複数の映像音声情報のうちのいずれか１つの映像音声情報を上記表示手段にて再生する構成としてもよい。
【００４８】
上記の構成によれば、さらに、互いに関連する複数の映像音声情報を消去する候補として選出したとき、上記映像音声情報提示手段が、上記互いに関連する複数の映像音声情報のうちのいずれか１つの映像音声情報を表示手段にて再生することができる。
【００４９】
よって、再生される１つの映像音声情報の内容を基に、他の関連する複数の映像音声情報の内容をユーザが十分に理解することができれば、それら互いに関連する複数の映像音声情報の消去の可否をまとめて指定することができる。
【００５０】
したがって、互いに関連する複数の映像音声情報について、ユーザがより短い期間で消去の可否を判断することができるという効果を奏する。
【００５１】
さらに、本発明に係る映像音声情報記録再生装置は、上記の構成において、上記映像音声情報提示手段が、上記表示手段にて再生する映像音声情報を、該映像音声情報の内容に応じて予め定められた再生開始位置から再生を開始する構成としてもよい。
【００５２】
上記の構成によれば、さらに、映像音声情報を表示手段にて再生するとき、該映像音声情報の内容に応じて予め定められた再生開始位置から再生することができる。
【００５３】
よって、消去する候補である映像音声情報の内容のうち、予め定められた重要な場面についてユーザが十分に理解した上で、消去の可否を指定することができる。
【００５４】
したがって、ユーザが消去の可否をさらに容易に判断することができ、また、ユーザが残したい映像音声情報をさらに確実に記憶手段に残しつつ、記憶手段の残容量を増やすことできるという効果を奏する。
【００５５】
なお、上記映像音声情報記録再生装置は、コンピュータによって実現してもよく、この場合には、コンピュータを上記各手段として動作させることにより上記映像音声情報記録再生装置をコンピュータにて実現させる映像音声情報記録再生装置の制御プログラム、およびそれを記録したコンピュータ読み取り可能な記録媒体も、本発明の範疇に入る。
【発明の効果】
【００５６】
以上のように、本発明に係る映像音声情報記録再生装置は、映像および音声の少なくとも一方を含む複数の映像音声情報を記憶する記憶手段と、該記録した映像音声情報を再生する表示手段とを備える映像音声情報記録再生装置であって、ユーザ操作が所定期間無いことを検出するユーザ操作検出手段と、上記記憶手段に記録されている映像音声情報の中から、消去する候補となる１または複数の映像音声情報を選出する消去候補選出手段と、上記ユーザ操作検出手段が上記検出をしたとき、上記消去候補選出手段によって選出した映像音声情報を上記記憶手段から消去する映像音声情報消去手段とを備えている。
【００５７】
また、本発明に係る映像音声情報記録再生方法は、映像および音声の少なくとも一方を含む複数の映像音声情報を記憶手段に記録し、該記録した映像音声情報を再生する映像音声情報記録再生装置の映像音声情報記録再生方法であって、ユーザ操作が所定期間無いことを検出するユーザ操作検出ステップと、上記ユーザ操作検出手段が上記検出をしたとき、上記記憶手段に記録されている映像音声情報の中から、消去する候補となる１または複数の映像音声情報を選出する消去候補選出ステップと、上記選出した映像音声情報を上記記憶手段から消去する映像音声情報消去ステップとを含んでいる。
【００５８】
よって、ユーザ操作が所定期間無い毎に、不要な映像音声情報を消去することができる。
【００５９】
したがって、ユーザ操作が所定期間無い毎に、記憶手段の残容量を増やすことできるため、記憶手段の残容量を増やす機会が多く設けることができるという効果を奏する。そのため、新たな映像音声情報を記録するにあたり、記憶容量が不足して該新たな映像音声情報を記録できない可能性を低くすることができるという効果を奏する。
【発明を実施するための最良の形態】
【００６０】
〔実施の形態１〕
本発明の一実施形態について図１から図６に基づいて説明すると以下の通りである。
【００６１】
（映像音声再生装置の構成）
図１を参照しながら、映像音声情報記録再生装置１００の構成について説明する。図１は、本実施の一形態に係る映像音声情報記録再生装置１００の構成を示すブロック図である。
【００６２】
映像音声情報記録再生装置１００は、図示しない外部の装置から、映像、音声、またはその組合せ（以下、「映像音声情報」と称する）、および、該映像音声情報に付随するタイトルやジャンルなどのメタ情報を受信し、ユーザが指定した映像音声情報を記録媒体に記録する。そして、ユーザの入力操作に応じて、上記記録した映像音声情報を再生する。また、ユーザの入力操作に応じて、上記記録した映像音声情報を記録媒体から消去する。そのために、映像音声情報記録再生装置１００は、図１に示すように、制御部１０、記憶部２０、入出力制御部３０、受信部４０、入力操作部５０、および表示部６０とを備えて構成される。また、映像音声情報記録再生装置１００では、内部ファイルとして、消去候補リスト６００を生成する。
【００６３】
制御部１０は、記憶部２０、および入出力制御部３０の制御を行うとともに、所定の演算処理を行うものである。所定の演算処理としては、例えば、受信した映像音声情報の記録処理、または、記録している映像音声情報の消去処理などがある。制御部１０の詳細な構成については後述する。
【００６４】
記憶部２０は、制御部１０で利用される各種データ、プログラムの実行によって得られたデータなどを記憶する記録媒体であり、ＲＯＭ（Read-Only Memory）やフラッシュメモリなどの不揮発性メモリ、あるいはＨＤＤや記録型ＤＶＤなどで実現される。なお、記録媒体として、例えば、ＨＤＤと記録型ＤＶＤの、２種類の記憶媒体を同時に備えているＨＤＤ内蔵ＤＶＤレコーダーなどでは、どちらの記録媒体を利用するかはユーザによってあらかじめ選択される。上記各種データは、記憶部２０内部の各種記憶部、すなわち、予約情報記憶部２１、映像音声記憶部２２、管理情報記憶部２３、および再生開始位置記憶部２４に記憶される。
【００６５】
予約情報記憶部２１は、後述する受信部４０にて外部装置から受信した映像音声情報のうち、記憶部に格納する映像音声情報を指定するための情報（以下、「予約情報」と称する）を記憶する。予約情報には、１）ユーザにより指定されるキーワード、および、２）ユーザにより指定される、チャンネル、記録開始時刻、記録終了時刻がある。なお、上記２）は、後述する表示部６０に表示する電子テレビ番組表を基に、ユーザが番組を選択することにより指定する場合と、後述する入力操作部５０からユーザが直接入力することにより指定する場合とがある。
【００６６】
映像音声記憶部２２は、受信部４０にて外部装置から受信した映像音声情報のうち、予約情報に合う映像音声情報を映像音声記憶部２２に記録する。すなわち、予約情報として上記１）が予約情報記憶部２１に格納されている場合、予約情報として指定されたキーワードをメタ情報の中に含んでいる映像音声情報を映像音声記憶部２２に記録する。また、予約情報として上記１）が予約情報記憶部２１に格納されている場合、予約情報として指定されたチャンネルにおいて、予約情報として指定された記録開始時刻から、予約情報として指定された記録終了時刻までに放送される映像音声情報を、映像音声記憶部２２に記録する。
【００６７】
管理情報記憶部２３は、映像音声記憶部２２に記憶する映像音声情報に付随するタイトルやジャンルなどのメタ情報に加え、該映像音声情報を記録した時刻などを含んだ情報（以下、「管理情報５００」と称する）を記憶する。管理情報５００に含まれる情報の詳細については後述する。
【００６８】
再生開始位置記憶部２４は、消去する映像音声情報の候補を表示部６０にて再生するとき、再生する映像音声情報に応じて再生を開始する時間的位置を指定した情報（以下、「再生開始位置情報８００」と称する）を記憶する。再生開始位置情報８００に含まれる情報の詳細については後述する。
【００６９】
なお、記憶部２０は、必ずしも映像音声情報記録再生装置１００に備えられる必要はなく、外部記憶装置として、書き込み可能かつ読み取り可能な状態で映像音声情報記録再生装置１００に接続される構成でもよい。
【００７０】
受信部４０は、図示しない外部の装置から送信された映像音声情報および該映像音声情報に付随するメタ情報を受信するものであり、受信制御部３４により制御される。受信部４０で受信された映像音声情報および該映像音声情報に付随するメタ情報は、受信制御部３４へ送られる。
【００７１】
図示しない外部の装置から受信部４０への映像音声情報およびメタ情報の送信は、放送波を用いてもよいし、通信ネットワークを用いてもよい。なお、通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網、衛星回線、地上波デジタル網等の無線でも利用可能である。
【００７２】
入出力制御部３０の受信制御部３４は、受信部４０を制御し、受信した映像音声情報および該映像音声情報に付随するメタ情報を、後述する受信データ記録部１１に送信する。
【００７３】
入力操作部５０は、映像音声情報記録再生装置１００のユーザの入力操作を受けつけ、入力操作に応じた入力信号を入力操作制御部３５に送信する。入力操作部５０は、例えば、リモコン、タッチパネル、マウス、キーボード、スイッチなどの入力デバイスで構成される。ユーザが入力操作部５０から入力操作を行うことにより、記録されている映像音声情報の再生開始、記録されている映像音声情報の消去などの入力操作に応じた入力信号を生成する。なお、入力操作部５０は、必ずしも映像音声情報記録再生装置１００に備えられる必要はなく、外部装置として映像音声情報記録再生装置１００に通信可能に接続される構成でもよい。
【００７４】
入出力制御部３０の入力操作制御部３５は、映像音声情報記録再生装置１００のユーザの操作を受けつける入力操作部５０を制御し、ユーザの入力操作に応じた入力信号を後述する入力操作有無検出部１２送信する。
【００７５】
表示部６０は、表示制御部３６より送られた情報を表示する。表示部６０は、例えばＬＣＤ（Liquid Crystal Display；液晶表示装置）で構成される。表示部６０に表示する情報としては、後述するユーザインタフェース処理部１５から出力された映像音声情報などが含まれる。また、記録済みの映像音声情報をユーザに対して表示するときには、管理情報記憶部２３に格納された管理情報５００の全てまたは一部を表示部６０に表示する。
【００７６】
なお、表示部６０は、必ずしも映像音声情報記録再生装置１００に備えられる必要はなく、外部装置として映像音声情報記録再生装置１００に通信可能に接続される構成でもよい。
【００７７】
入出力制御部３０の表示制御部３６は、表示部６０を制御し、制御部１０から指示された情報を表示部６０に送信する。
【００７８】
次に、制御部１０について、詳細に説明する。制御部１０は、受信データ記録部１１と入力操作有無検出部１２と消去候補リスト生成部１３と記録データ更新部１４とユーザインタフェース処理部１５とを含んでいる。
【００７９】
受信データ記録部１１は、予約情報記憶部２１に予め記憶されている予約情報に合う映像音声情報を受信した場合、該映像音声情報および映像音声情報の管理情報５００をそれぞれ、映像音声記憶部２２および管理情報記憶部２３に記録する。なお、受信した映像音声情報が予約情報記憶部２１に予め記憶されている予約情報に合わない場合は、該受信した映像音声情報およびその管理情報５００は記録しない。
【００８０】
入力操作有無検出部１２は、入力操作部５０からのユーザの入力操作が所定期間無いことを検出する。そして、その検出結果を後述する消去候補リスト生成部１３、および、後述するユーザインタフェース処理部１５へ通知する。また、上記入力操作が所定期間無いことを検出した後に、入力操作部５０から所定の入力操作があったとき、その旨を後述するユーザインタフェース処理部１５に通知する。
【００８１】
以下に、入力操作が所定期間無いことを検出する例を説明する。例えば、記録済みの映像音声情報の一覧を表示部６０に表示してから所定期間（例えば３０秒）以内であれば、ユーザが映像音声情報を選択し、再生する可能性が高い。しかしながら、上記一覧を表示部６０に表示してから所定時間（例えば３０秒）が経過してもユーザからの入力操作が無い場合、ユーザが映像音声情報を再生する可能性が低い。したがって、上記一覧表示から所定期間過してもユーザからの入力操作が無いとき、入力操作が無いことを検出する。
【００８２】
また、例えば、映像音声情報記録再生装置１００の電源を投入してから所定時間（例えば２分）以内であれば、ユーザが映像音声情報記録再生装置１００に対して入力操作を行う可能性が高い。しかしながら、上記電源を投入してから所定期間（例えば２分）が経過してもユーザからの入力操作が無い場合、ユーザが入力操作を行う可能性が低い。したがって、上記電源を投入してから所定期間経過してもユーザからの入力操作が無いとき、入力操作が無いことを検出する。
【００８３】
そして、入力操作有無検出部１２は、ユーザの入力操作が所定期間無いことを検出すると、消去の候補となる映像音声情報をユーザに提示するために、その検出結果を後述する消去候補リスト生成部１３、および、後述するユーザインタフェース処理部１５へ通知する。
【００８４】
消去候補リスト生成部１３は、入力操作有無検出部１２から通知を受けたとき、管理情報記憶部２３に記憶している管理情報５００に基づき、消去する映像音声情報の候補をユーザに提示するための、消去候補リスト６００を生成する。そして、消去候補リスト６００を生成したとき、ユーザインタフェース処理部１５にその旨を通知する。消去候補リスト６００の詳細については、後述する。
【００８５】
なお、消去候補リスト生成部１３は、必ずしも入力操作有無検出部１２から通知を受けたときに消去候補リスト６００を生成する必要はなく、定期的に消去候補リスト６００を生成しておいてもよい。
【００８６】
記録データ更新部１４は、後述するユーザインタフェース処理部１５からの信号に応じて、消去候補リスト６００に基づき、映像音声情報および該映像音声情報の管理情報５００をそれぞれ、映像音声記憶部２２および管理情報記憶部２３から消去するか、また、管理情報記憶部２３に格納されている管理情報５００における保存指定フラグ５０６（後述）の値を更新する。ユーザインタフェース処理部１５からの信号については後述する。
【００８７】
ユーザインタフェース処理部１５は、消去候補リスト生成部１３からの通知を受信したとき、消去候補リスト生成部１３が生成した消去候補リスト６００に含まれる映像音声情報を映像音声記憶部２２から取得し、併せて、該映像音声情報の再生開始位置情報を再生開始位置記憶部２４から取得する。そして、消去候補リスト６００に含まれる消去候補順序６０１(後述)の昇順に、映像音声情報を表示制御部３６を介して表示部６０に出力する。
【００８８】
このとき、各映像音声情報は、上記取得した再生開始位置から再生を開始する。上記取得した再生開始位置から再生を開始することにより、開始位置から再生するよりも、ユーザが映像音声情報の内容をより把握しやすくなる。
【００８９】
一方、入力操作有無検出部１２から所定の入力操作があった旨の通知を受信したときは、表示部６０に対して消去候補の映像音声情報を出力しない。すでに表示部６０に対して映像音声情報を出力しているときは、上記出力を中止する。
【００９０】
消去の候補となる映像音声情報を表示部６０に表示するとき、さらに、ユーザインタフェース処理部１５は、表示している映像音声情報を記憶部２０から消去するか、または、記憶部２０に保存しておくかをユーザが指示可能なボタン等のインタフェースを表示部６０に出力する。さらに、ユーザの利便性を高めるため、消去の候補となる映像音声情報を表示している旨、および、該映像音声情報の管理情報５００を表示部６０に併せて表示してもよい。
【００９１】
次に、ユーザインタフェース処理部１５は、入力操作部５０から入力信号を解析する。すなわち、該信号が、１）ユーザが上記ボタン等のインタフェースにより、表示部６０に表示している映像音声情報および該映像音声情報の管理情報５００を記憶部２０から消去することを指示したものであるか、または、２）ユーザが上記ボタン等のインタフェースにより、表示部６０に表示している映像音声情報および該映像音声情報の管理情報５００を記憶部２０に保存しておくことを指示したものであるかを解析する。
【００９２】
そして、上記１）の場合は、後述する記録データ更新部１４に、該映像音声情報および該映像音声情報の管理情報５００を消去する旨の信号を送信する。併せて、消去候補リスト６００から該映像音声情報に対応する情報を削除する。
【００９３】
また、上記２）の場合は、記録データ更新部１４に、該映像音声情報の管理情報５００を更新する旨の信号を送信する。併せて、消去候補リスト６００における該映像音声情報の情報を更新する。
【００９４】
そして、上記削除が終了した場合、または、上記更新が終了した場合、または、該映像音声情報の再生が終了した場合、または、所定期間ユーザ操作が無い場合、ユーザインタフェース処理部１５は、消去候補リスト６００における消去候補順序６０１が、該映像音声情報の消去候補順序６０１の値の次に小さい値である映像音声情報を表示部６０に表示する。
【００９５】
次に、図２を参照しながら、消去の候補となる映像音声情報を表示部６０に表示する様子について説明する。図２は、消去の候補となる映像音声情報を表示する画面例を示す模式図である。
【００９６】
一般的に、消去の候補となる映像音声情報のタイトルや記録時刻などの管理情報のみをユーザに提示した場合、ユーザは上記映像音声情報の内容を把握できないことがある。また、映像音声情報の一場面であるサムネイルなどの静止画像のみをユーザに提示した場合でも、同様に、映像音声情報の内容を把握できないことがある。しかしながら、消去の候補となる映像音声情報を再生してユーザに提示すれば、ユーザは映像音声情報の内容を把握しやすい。
【００９７】
そこで、消去の候補となる映像音声情報を特定するための識別情報によって、ユーザは映像音声情報の内容を把握することができ、映像音声情報の消去可否を容易に判断することができる。識別情報とは、映像音声情報の再生によって得られる情報や、該映像音声情報の管理情報５００に含まれるタイトル５０２（後述）や、記録時刻５０３（後述）、ジャンル（後述）などの情報を組み合わせたものであり、ユーザにとって、該映像音声情報の内容判断が可能な情報の組合せである。
【００９８】
そこで、図２の例では、表示部６０の画面中央部７００に、消去の候補となる映像音声情報を再生する。そして、表示部６０の画面上部７０１に、該映像音声情報を再生している旨のメッセージを表示している。そして、画面左下部７０２には、該映像音声情報の管理情報５００に含まれるタイトル５０２（後述）と記録時刻５０３（後述）を表示している。
【００９９】
タイトル５０２や記録時刻５０３の情報に加えて、該映像音声情報の再生によって得られる情報により、ユーザは映像音声情報の内容を把握することができ、映像音声情報の消去可否を容易に判断することができる。
【０１００】
なお、上述した識別情報は、一例にすぎず、上述に限定されるものではない。例えば、識別情報として、映像音声情報の動画再生を提示するのではなく、該映像音声情報の一部または全ての静止画を提示してもよいし、両方を提示してもよい。さらに、該映像音声情報を受信したチャンネルなどの、管理情報５００に含まれていない、映像音声情報の内容判断に有益な情報を含めてもよい。
【０１０１】
さらに、消去の候補となる映像音声情報の再生にあたり、該映像音声情報の開始位置から再生するよりも、該映像音声情報において重要と思われる場面を再生するほうが、ユーザは該映像音声情報の内容をより把握しやすい。そこで、再生開始位置記憶部２４から取得した再生開始位置情報を基に、消去の候補となる映像音声情報を再生する。
【０１０２】
次に、画面右下部７０３には、該映像音声情報を消去する場合、および、該映像音声情報を保存する場合のそれぞれについて、ユーザがどのような入力操作をすればよいかについて表示している。この例では、該映像音声情報を消去する場合は、入力操作部５０のボタン「Ａ」を押下すればよいことを表示している。また、該映像音声情報を保存する場合は、入力操作部５０のボタン「Ｂ」を押下すればよいことを表示している。
【０１０３】
そして、ユーザが該映像音声情報を消去する入力操作を行ったとき、ユーザインタフェース処理部１５からの信号を受信した記録データ更新部１４が、該映像音声情報および該映像音声情報の管理情報５００をそれぞれ、映像音声記憶部２２および管理情報記憶部２３から消去する。
【０１０４】
一方、ユーザが該映像音声情報を保存する入力操作を行ったとき、ユーザインタフェース処理部１５からの信号を受信した記録データ更新部１４は、該映像音声情報の管理情報５００に含まれる保存指定フラグ５０６(後述)の値を「1」に設定する。
【０１０５】
（管理情報）
次に、図３を参照しながら、管理情報５００について、詳細に説明する。図３は、管理情報５００に含まれる情報および、各情報の具体値を模式的に示す図である。
【０１０６】
図３に示すとおり、管理情報５００は、映像音声情報記録再生装置が記録した映像音声情報を一意に識別するための管理番号５０１や、該映像音声情報のタイトル５０２、該映像音声情報を記録した記録時刻５０３、該映像音声情報のジャンル５０４、該映像音声情報を記録した後にユーザが再生したかどうかを示す視聴済みフラグ５０５、該映像音声情報を消去の対象とするかどうかを示す保存指定フラグ５０６、および該映像音声情報を記録している映像音声記憶部２２の格納位置５０７の、映像音声情報自体に付属する情報である属性情報を含んでいる。
【０１０７】
視聴済みフラグ５０５の値は、映像音声情報が記録後に一度も再生されてない場合は「0」であり、再生されている場合は「1」である。したがって、新たに映像音声情報を記録した場合には、視聴済みフラグ５０５の値を「0」に設定し、ユーザが該映像音声情報を視聴した後は、視聴済みフラグ５０５の値を「1」に設定する。
【０１０８】
保存指定フラグ５０６の値は、映像音声情報を消去するとユーザが指定した場合は「0」であり、映像音声情報を消去しないとユーザが指定した場合は「1」である。したがって、新たに映像音声情報を記録した場合には、保存指定フラグ５０６の値を「0」に設定し、ユーザが該映像音声情報を消去せずに保存すると指定した場合は、保存指定フラグ５０６の値を「1」に設定する。
【０１０９】
次に、管理情報５００に含まれる上記情報の具体例を説明する。図３に示すとおり、例えば、管理番号５０１が「０６」である映像音声情報は、タイトル５０２が「ドラマ３」である。そして、該映像音声情報の記録時刻５０３は、記録開始時刻が「2006/09/18 21:00」であり、記録終了時刻が「2006/09/18 22:00」である。そして、該映像音声情報のジャンル５０４は「ドラマ」である。そして、該映像音声情報の視聴済みフラグ５０５は「1」である。すなわち、ユーザが該映像音声情報を視聴したことを示している。そして、該映像音声情報の保存指定フラグ５０６は「0」である。すなわち、該映像音声情報を消去するとユーザが指定したことを示している。そして、該映像音声情報の格納位置５０７は「00002-00001」である。
【０１１０】
なお、図３に示した管理情報５００に含まれる属性情報は、一例にすぎず、上述に限定されるものではない。例えば、管理情報５００はさらに、映像音声情報に含まれる場面毎のメタ情報や、ユーザＩＤ、映像音声情報が再生された回数などの属性情報を含んでもよい。
【０１１１】
（消去候補リスト）
次に、図４を参照しながら、本実施形態における消去候補リスト生成部１３が生成する消去候補リスト６００について、詳細に説明する。図４は、消去候補リスト６００に含まれる情報および、各情報の具体値を模式的に示す図である。
【０１１２】
図４に示すとおり、消去候補リスト６００は、管理情報５００に含まれる管理番号５０１、タイトル５０２、記録時刻５０３、ジャンル５０４、視聴済みフラグ５０５、保存指定フラグ５０６、格納位置５０７に加えて、映像音声情報をユーザに提示する順序を表す消去候補順序６０１を含んでいる。そして、消去候補順序６０１の値が小さい映像音声情報から順番に消去候補としてユーザに提示される。
【０１１３】
次に、消去候補リスト６００に含まれる各情報の具体値を説明する。図４に示すとおり、例えば、管理番号５０１が「０６」である映像音声情報の、タイトル５０２、記録時刻５０３、ジャンル５０４、視聴済みフラグ５０５、保存指定フラグ５０６、格納位置５０７は図３で説明した値と同じである。
【０１１４】
そして、該映像音声情報の消去候補順序６０１は「０３」である。すなわち、３番目の消去候補としてユーザに提示されることを示している。
【０１１５】
次に、消去候補リスト生成部１３が、消去候補順序６０１を設定するための方法について説明する。
【０１１６】
まず、消去候補リスト生成部１３は、管理情報５００に含まれる保存指定フラグ５０６の値を参照する。保存指定フラグ５０６の値が「0」である映像音声情報は、ユーザにとって不要である可能性が高い。そこで、ユーザインタフェース処理部１５は、保存指定フラグ５０６の値が「0」である映像音声情報を、保存指定フラグ５０６の値が「1」である映像音声情報よりも高い優先度で消去する候補とする。
【０１１７】
次に、消去候補リスト生成部１３は、管理情報５００に含まれる記録時刻５０３の値を参照する。記録時刻５０３に示される記録時刻が過去であるほど、ユーザにとって不要である可能性が高い。したがって、消去候補リスト生成部１３は、保存指定フラグ５０６の値が「0」である映像音声情報のうち、記録時刻５０３に示される記録時刻が古い映像音声情報を、記録時刻５０３に示される記録時刻が新しい映像音声情報よりも高い優先度で消去する候補とする。同様に、保存指定フラグ５０６の値が「1」である映像音声情報のうち、記録時刻５０３に示される記録時刻が古い映像音声情報を、記録時刻５０３に示される記録時刻が新しい映像音声情報よりも高い優先度で消去する候補とする。
【０１１８】
最後に、消去候補リスト生成部１３は、上記優先度の高い順番に、消去候補順序６０１の値を昇順に設定する。
【０１１９】
そして、上記設定された消去候補順序６０１の値の小さい順に、ユーザインタフェース処理部１５が映像音声情報を取得し、表示部６０に出力する。これにより、ユーザが保存指定をしておらず、また、記録日時が過去である映像音声情報、すなわちユーザにとって不要な映像音声情報を優先的に消去候補としてユーザに提示することかできる。
【０１２０】
なお、図４に示した消去候補リスト６００に含まれる情報は、一例にすぎず、上述に限定されるものではない。例えば、消去候補リスト６００はさらに、ユーザＩＤなどを含んでもよい。
【０１２１】
（再生開始位置情報）
次に、図５を参照しながら、再生開始位置情報８００について、詳細に説明する。図５は、再生開始位置情報８００に含まれる情報および、各情報の具体値を模式的に示す図である。図５に示すとおり、再生開始位置情報８００は、ジャンル８０１と再生開始位置８０２とを含んでおり、映像音声情報のジャンルごとに再生開始位置が設定されている。再生開始位置情報８００は、映像音声情報記録再生装置１００にあらかじめ設定されていてもよいし、外部装置から受信部４０を経由して取得してもよいし、入力操作部５０からのユーザ入力により設定してもよい。
【０１２２】
次に、再生開始位置情報８００に含まれる上記情報の具体例を説明する。例えば、スポーツの映像音声情報の内容をユーザに判断させるとき、盛り上がっている場面を再生するのが好ましい。そこで、図５に示すとおり、ジャンル８０１が「スポーツ」の場合、再生開始位置８０２は「音量が所定値以上である場面」（すなわち、盛り上がっている場面）と設定している。
【０１２３】
また、ニュースの映像音声情報の内容をユーザに判断させるとき、ニュース開始から５分程度後の重大な報道や、スポーツニュースなど、複数の箇所を再生するのが好ましい。そこで、図５に示すとおり、ジャンル８０１が「ニュース」の場合、再生開始位置８０２は「開始から５分経過時点」と「スポーツニュースの場面」との２つを設定している。
【０１２４】
このように、ジャンル毎に映像音声情報の再生開始位置を設定することによって、消去の候補となる映像音声情報を再生するとき、より重要な場面をユーザに提示することができる。
【０１２５】
なお、上述の例では、ジャンルに応じて映像音声情報の再生開始位置を設定したが、一例にすぎず、ジャンルに応じて設定することに限定されるものではない。例えば、映像音声情報の長さに応じて再生開始位置を設定してもよい。
【０１２６】
（映像音声情報記録再生装置における処理の流れ）
次に、図６を参照しながら、映像音声情報記録再生装置１００において、消去する候補となる映像音声情報をユーザに提示し、ユーザが該映像音声情報を消去または保存する手順について説明する。図６は、映像音声情報記録再生装置１００において、消去する候補となる映像音声情報をユーザに提示し、ユーザが該映像音声情報を消去または保存する処理の流れを示すフローチャートである。
【０１２７】
映像音声情報記録再生装置１００の入力操作部５０からのユーザ操作が所定期間無いことを入力操作有無検出部１２が検出すると（Ｓ１１にてＹＥＳ）、その旨を消去候補リスト生成部１３に通知する。そして、消去候補リスト生成部１３が上記通知を受けたとき、管理情報記憶部２３に記憶している管理情報５００に基づき、消去する映像音声情報の候補をユーザに提示するための、消去候補リスト６００を生成する（Ｓ１２）。一方、映像音声情報記録再生装置１００の入力操作部５０からのユーザ操作が所定期間内にあれば（Ｓ１１にてＮＯ）、再度、ユーザ操作が所定期間無いことの検出を試みる（Ｓ１１）。
【０１２８】
次に、消去候補リスト生成部１３が消去候補リスト６００を生成すると、ユーザインタフェース処理部１５が、まず、上記生成された消去候補リスト６００に含まれる消去候補順序６０１の値が最も小さい映像音声情報を映像音声記憶部２２から取得し、併せて、該映像音声情報の再生開始位置情報を再生開始位置記憶部２４から取得する（Ｓ１３）。
【０１２９】
そして、上記取得した映像音声情報を上記取得した再生開始位置から再生するよう表示部６０に出力する（Ｓ１４）。このとき、併せて、消去候補リスト６００に含まれる、上記取得した映像音声情報のタイトル５０２や記録時刻５０３を、表示部６０に出力してもよい。
【０１３０】
次に、上記映像音声情報の再生が終了した場合（Ｓ１５にてＹＥＳ）、ユーザインタフェース処理部１５が、消去候補リスト６００に含まれる消去候補順序６０１の値が次に小さい映像音声情報を映像音声記憶部２２から取得し、該映像音声情報の再生開始位置情報を再生開始位置記憶部２４から取得する（Ｓ１３）。そして、上記取得した映像音声情報を上記取得した再生開始位置から表示部６０に再生する（Ｓ１４）。
【０１３１】
また、映像音声情報の再生が終了していないが（Ｓ１５にてＮＯ）、所定期間ユーザ操作が無い場合（Ｓ１６にてＹＥＳ）、同様に、ユーザインタフェース処理部１５が、消去候補リスト６００に含まれる消去候補順序６０１の値が次に小さい映像音声情報を映像音声記憶部２２から取得し、該映像音声情報の再生開始位置情報を再生開始位置記憶部２４から取得する（Ｓ１３）。そして、上記取得した映像音声情報を上記取得した再生開始位置から表示部６０に再生する（Ｓ１４）。
【０１３２】
次に、所定期間内にユーザ操作が有った場合において（Ｓ１６にてＮＯ）、該ユーザ操作が、再生している映像音声情報の消去を指示するものであるとき（Ｓ１７にてＹＥＳ）、ユーザインタフェース処理部１５が、消去候補リスト６００から該映像音声情報に対応する情報を削除する（Ｓ２１）。そして、記録データ更新部１４が、上記映像音声情報および該映像音声情報の管理情報５００をそれぞれ、映像音声記憶部２２および管理情報記憶部２３から消去する（Ｓ２３）。そして、ユーザインタフェース処理部１５は、上記更新された消去候補リスト６００に含まれる消去候補順序６０１の値が次に小さい映像音声情報を映像音声記憶部２２から取得し、該映像音声情報の再生開始位置情報を再生開始位置記憶部２４から取得する（Ｓ１３）。そして、上記取得した映像音声情報を上記取得した再生開始位置から表示部６０に再生する（Ｓ１４）。
【０１３３】
一方、上記所定期間内にユーザ操作が有った場合において（Ｓ１６にてＮＯ）、該ユーザ操作が、再生している映像音声情報の消去を指示するものでなく（Ｓ１７にてＮＯ）、再生している映像音声情報の保存を指示するものであるとき（Ｓ１８にてＹＥＳ）、ユーザインタフェース処理部１５が、該映像音声情報に対応する、消去候補リスト６００に含まれる保存指定フラグ５０６の値を「1」に設定する（Ｓ２０）。そして、そして、記録データ更新部１４が、管理情報記憶部２３に格納されている、該映像音声情報の管理情報５００に含まれる保存指定フラグ５０６の値を「1」に設定する（Ｓ２２）。
【０１３４】
また、上記所定期間内に有ったユーザ操作が、再生している映像音声情報の保存を指示するものでなく、消去の候補である映像音声情報の再生を終了する指示や、メニュー画面へ遷移する指示や、予約画面へ遷移する指示などである場合（Ｓ１８にてＹＥＳ）、消去の候補である映像音声情報の再生を中止し（Ｓ１９）、処理を終了する。
【０１３５】
以上のとおり、本実施形態では、ユーザが保存指定していない映像音声情報、および、、記録時刻が過去の映像音声情報が、優先的にユーザに提示される。したがって、本実施形態の構成によれば、ユーザにとってより不要であると思われる映像音声情報について、優先的に消去の可否を確認することができる。
【０１３６】
また、本実施形態では、所定期間ユーザ操作が無いことを検出したことをトリガとして、消去の候補となる映像音声情報をユーザに提示する。したがって、本実施形態の構成によれば、記憶装置の残容量が所定値以下になったことをトリガとして消去の候補となる映像音声情報をユーザに提示する場合に比べて、ユーザに対して確認する機会が多くなるものの、一度に確認する映像音声情報の数が少なくなる場合が多いため、ユーザの利便性が向上する。
【０１３７】
また、本実施形態では、消去の候補となる映像音声情報を再生するので、ユーザは映像音声情報の内容を容易に把握することができる。したがって、本実施形態の構成によれば、ユーザは、消去の可否を容易に判断することができる。
【０１３８】
また、本実施形態では、消去の候補となる映像音声情報の内容に応じた再生開始位置から該映像音声情報を再生する。したがって、本実施形態の構成によれば、ユーザは、映像音声情報の内容を短時間で的確に把握することができ、消去の可否を短時間で判断することができる。
【０１３９】
〔実施の形態２〕
実施の形態１の構成では、消去の候補となる映像音声情報のそれぞれについて再生を行い、ユーザがその消去の可否を確認する。したがって、例えば、毎日同じ時間帯に放送される連続ドラマやニュース番組など、互いに関連性が高い映像音声情報が複数存在している場合であっても、それぞれの映像音声情報について再生を行い、ユーザがその消去の可否を確認する必要がある。
【０１４０】
しかしながら、ユーザは、関連性の高い複数の映像音声情報については、同じ消去の可否の判断を行う場合が多い。すなわち、関連性の高い複数の映像音声情報のうちのある映像音声情報を消去すれば、残りの他の映像音声情報も消去する可能性がある。また、ある映像音声情報を保存すれば、残りの他の映像音声情報も保存する可能性がある。例えば、「ドラマ１」と「ドラマ２」と「ドラマ３」とが同じ連続ドラマである場合において、ユーザがドラマ３を消去した場合、ドラマ１およびドラマ２についてもユーザは消去する可能性がある。一方、ユーザがドラマ３を保存した場合、ドラマ１およびドラマ２についてもユーザは保存する可能性がある。
【０１４１】
さらに、ドラマ３についてユーザが消去の可否を判断するとき、ドラマ３の映像音声情報が再生されており、ユーザはその内容を把握した上で、消去の可否を決定している。したがって、ドラマ３に関連するドラマ１およびドラマ２の映像音声情報について消去の可否をユーザに確認するとき、ドラマ１およびドラマ２の映像音声情報を再生する必要性は低い。つまり、ドラマ１およびドラマ２については、映像音声情報を再生せず、消去の可否のみをユーザに確認してもよい。このようにすれば、ユーザは映像音声情報の消去可否の判断を効率的に実施することができ、ユーザの利便性が向上する。
【０１４２】
そこで、実施の形態１の構成に加え、互いに関連性の高い映像音声情報について、消去可否の確認をまとめて行う実施の形態について説明する。
【０１４３】
本実施形態について図７から図１０に基づいて説明すれば、以下の通りである。なお、説明の便宜上、実施の形態１にて示した各部材と同一の機能を有する部材には、同一の符号を付記し、その説明を省略する。
【０１４４】
（映像音声再生装置の構成）
図７を参照しながら、映像音声情報記録再生装置１０１の構成について説明する。図７は、本実施の一形態に係る映像音声情報記録再生装置１０１の構成を示すブロック図である。
【０１４５】
図７に示すように、映像音声情報記録再生装置１０１は、映像音声情報記録再生装置１０１と同様に、制御部１０、記憶部２０、入出力制御部３０、受信部４０、入力操作部５０、および表示部６０を備えて構成される。また、制御部１０は、受信データ記録部１１と入力操作有無検出部１２と消去候補リスト生成部１３と記録データ更新部１４とユーザインタフェース処理部１５とを含んでいる。
【０１４６】
ただし、映像音声情報記録再生装置１０１では、消去候補リスト６００に代えて、消去候補リスト６０１を用いる。すなわち、消去候補リスト生成部１３は、消去候補リスト６００に代えて、消去候補リスト６０１を生成する。そして、ユーザインタフェース処理部１５は、消去候補リスト６００に代えて、消去候補リスト６０１に基づいて、映像音声情報を表示部６０に出力する。また、ユーザ操作に応じて、消去候補リスト６０１を更新する。そして、記録データ更新部１４は、消去候補リスト６００に代えて、消去候補リスト６０１に基づき、映像音声記憶部２２または管理情報記憶部２３を更新する。
【０１４７】
（消去候補リスト）
図８を参照しながら、消去候補リスト６１０について、詳細に説明する。図８は、消去候補リスト６１０に含まれる情報および、各情報の具体値を模式的に示す図である。
【０１４８】
図８に示すとおり、消去候補リスト６１０は、消去候補リスト６００に含まれる消去候補順序６０１、管理番号５０１、タイトル５０２、記録時刻５０３、ジャンル５０４、視聴済みフラグ５０５、保存指定フラグ５０６、格納位置５０７に加えて、互いに関連性が高いと考えられる複数の映像音声情報が存在することを示す関連情報６１１を含んでいる。ここで、「互いに関連性の高いと考えられる映像音声情報」とは、例えば、記録時刻５０３の時間帯がほぼ同じであったり、または、タイトル５０２が同じである映像音声情報である。ただし、これらに限定されるものではない。
【０１４９】
次に、消去候補リスト６１０に含まれる各情報の具体値を説明する。図８に示すとおり、例えば、管理番号５０１が「０６」である映像音声情報の、消去候補順序６０１、タイトル５０２、記録時刻５０３、ジャンル５０４、視聴済みフラグ５０５、保存指定フラグ５０６、格納位置５０７は図４で説明した値と同じである。
【０１５０】
そして、該映像音声情報の関連情報６１１は「ドラマ１」および「ドラマ２」である。これは、タイトル５０２が「ドラマ１」である映像音声情報と、タイトル５０２が「ドラマ２」である映像音声情報と、タイトル５０２が「ドラマ３」である映像音声情報とが、関連性が高いことを示している。図８に示した関連情報６１１の値は、一例にすぎず、タイトル５０２を用いることに限定されるものではない。映像音声情報が一意に定まる情報であればよく、例えば、管理番号５０１の値を用いてもよい。
【０１５１】
なお、関連性の高い映像音声情報が複数存在する場合、その中の１つだけを代表的な映像音声情報として、消去候補リスト６００で管理してもよい。例えば、図８に示す消去候補リスト６１０には、上記で説明した連続ドラマのうち、保存指定フラグ５０６が「0」（すなわち、該映像音声情報を消去するとユーザが指定した）である「ドラマ３」のみを含めており、残りの「ドラマ１」および「ドラマ２」は含めていない。その代わり、「ドラマ３」と関連性が高い映像音声情報として「ドラマ１」および「ドラマ２」が存在することを示すために、「ドラマ３」の関連情報６１１に「ドラマ１」および「ドラマ２」を設定している。
【０１５２】
（映像音声情報記録再生装置における処理の流れ）
次に、図９を参照しながら、映像音声情報記録再生装置１０１において、消去する候補となる映像音声情報として、関連性の高い映像音声情報が複数存在する場合、ユーザが該映像音声情報を消去または保存する手順について説明する。図９は、映像音声情報記録再生装置１０１において、消去する候補となる映像音声情報として、関連性の高い映像音声情報が複数存在する場合、ユーザが該映像音声情報を消去または保存する処理の流れを示すフローチャートである。
【０１５３】
図９において、ステップＳ１１からステップＳ２３までは、図６と同様の処理の流れであるので、その説明を省略する。
【０１５４】
ステップＳ２２またはステップＳ２３の後、映像音声情報の関連情報６１１に、関連性の高い他の映像音声情報が存在する旨の設定があった場合（Ｓ３１でＹＥＳ）、ユーザインタフェース処理部１５が、それら映像音声情報の消去可否を確認するメッセージを表示部６０に表示する（Ｓ３２）。一方、関連性の高い他の映像音声情報が存在する旨の設定がない場合（Ｓ３１でＮＯ）、ユーザインタフェース処理部１５が、消去候補リスト６１０に含まれる消去候補順序６０１の値が次に小さい映像音声情報を映像音声記憶部２２から取得し、該映像音声情報の再生開始位置情報を再生開始位置記憶部２４から取得する（Ｓ１３）。そして、上記取得した映像音声情報を上記取得した再生開始位置から表示部６０に再生する（Ｓ１４）。
【０１５５】
図１０を参照しながら、関連性の高い他の映像音声情報の消去可否を確認するメッセージを表示部６０に表示する様子について説明する。図１０は、関連性の高い他の映像音声情報の消去可否を確認する画面例を示す模式図である。
【０１５６】
図１０の例では、表示部６０の画面上部９０１に、関連性の高い他の映像音声情報が存在することを示す旨のメッセージを表示し、ユーザに該映像音声情報の存在を示唆している。ここでは、「ドラマ１」と「ドラマ２」とが存在することを示している。
【０１５７】
そして、画面下部９０２には、上記映像音声情報に対して、ユーザがどのような入力操作をすればよいかについて表示している。この例では、上記映像音声情報を全て消去する場合は、入力操作部５０のボタン「△」を押下すればよいことを表示している。また、上記映像音声情報を全て保存する場合は、入力操作部５０のボタン「○」を押下すればよいことを表示している。また、上記映像音声情報のいずれかを選択して消去または保存する保存する場合は、入力操作部５０のボタン「□」を押下すればよいことを表示している。また、何も行わず終了する場合は、入力操作部５０のボタン「×」を押下すればよいことを表示している。
【０１５８】
そして、ユーザが、上記映像音声情報を消去する入力操作を行った場合（Ｓ３３にてＹＥＳ）、ユーザインタフェース処理部１５からの信号を受信した記録データ更新部１４が、上記映像音声情報および上記映像音声情報の管理情報５００をそれぞれ、映像音声記憶部２２および管理情報記憶部２３から消去する（Ｓ３４）。一方、ユーザが、上記映像音声情報を消去する入力操作を行わない場合（Ｓ３３にてＮＯ）、上記映像音声情報および上記映像音声情報の管理情報５００は消去しない。
【０１５９】
また、ユーザが該映像音声情報を保存する入力操作を行った場合（Ｓ３５にてＹＥＳ）、ユーザインタフェース処理部１５からの信号を受信した記録データ更新部１４は、上記映像音声情報の管理情報５００に含まれる保存指定フラグ５０６の値を「1」に設定する（Ｓ３６）。一方、ユーザが、上記映像音声情報を保存する入力操作を行わない場合（Ｓ３３にてＮＯ）、上記映像音声情報の管理情報５００は更新しない。
【０１６０】
そして、ユーザインタフェース処理部１５が、消去候補リスト６１０に含まれる消去候補順序６０１の値が次に小さい映像音声情報を映像音声記憶部２２から取得し、該映像音声情報の再生開始位置情報を再生開始位置記憶部２４から取得する（Ｓ１３）。そして、上記取得した映像音声情報を上記取得した再生開始位置から表示部６０に再生する（Ｓ１４）。
【０１６１】
以上のとおり、本実施形態では、消去候補リスト６００の代わりに、消去候補リスト６１０を用いる構成としている。すなわち、本実施形態の構成は、実施の形態１の構成に加え、さらに、消去候補リスト６１０を基に、互いに関連性が高いと考えられる映像音声情報を把握することができる。
【０１６２】
よって、本実施形態の構成によれば、消去の対象となる映像音声情報についてユーザに消去の可否を確認するとき、併せて、関連性の高い他の映像音声情報についても消去の可否を確認することができる。また、消去の対象となる映像音声情報の内容から、関連性の高い他の映像音声情報の内容をユーザが把握できることが多いため、それら関連性の高い他の映像音声情報については、再生せずとも、消去の可否を確認することができる。
【０１６３】
したがって、より短い時間で互いに関連性が高いと考えられる全ての映像音声情報について、まとめて消去の可否を確認することができるので、ユーザの利便性が向上する。
【０１６４】
（付記事項）
本発明に係る映像音声情報記録再生装置は、映像音声情報を記録し、また、再生することが可能な装置であれば、例えば、ハードディスク内臓ＤＶＤレコーダー、ＨＤＤレコーダー、ＤＶＤレコーダー、Ｂｌｕ−ｒａｙレコーダー、ＨＤ ＤＶＤレコーダー、メモリカードレコーダー、ゲーム機などであってもよい。
【０１６５】
また、本発明に係る映像音声情報記録再生装置が記録し、また、再生する映像音声情報は、映像データ、音声データ、またはそれらを組み合わせたものであってもよく、また、特定のフォーマットに限定されるものではない。
【０１６６】
なお、実施の形態は上述の他に、以下のようにも表現できる。
【０１６７】
[１]本発明に係る映像音声情報記録再生装置は、映像または音声の少なくとも一方を含む映像音声情報を記録可能な映像音声情報記録再生装置において、
既に記録された映像音声情報の中で消去候補の映像音声情報を抽出する消去候補抽出手段と、
映像音声情報記録再生装置の空き時間を検出する空き時間検出手段と、
前記空き時間において前記消去候補の映像音声情報を提示する消去候補提示手段と、
前記消去候補の映像音声情報を消去する消去手段とを備えるものであってもよい。
【０１６８】
[２]さらに、本発明に係る映像音声情報記録再生装置は、前記消去候補抽出手段は、前記消去候補提示手段によって提示される優先度を高く設定するものであってもよい。
【０１６９】
[３]さらに、本発明に係る映像音声情報記録再生装置は、前記消去候補抽出手段は、記録された日時が古い映像音声情報であるほど、前記消去候補提示手段によって提示される優先度を高く設定するものであってもよい。
【０１７０】
[４]さらに、本発明に係る映像音声情報記録再生装置は、前記空き時間検出手段は、前記映像音声情報記録再生装置がメニュー画面を表示してから所定時間の経過後を、空き時間の開始時間として検出するものであってもよい。
【０１７１】
[５]さらに、本発明に係る映像音声情報記録再生装置は、前記空き時間検出手段は、前記映像音声情報記録再生装置の電源を投入してから所定時間の経過後を、空き時間の開始時間として検出するものであってもよい。
【０１７２】
[６]さらに、本発明に係る映像音声情報記録再生装置は、前記消去候補提示手段は、前記消去候補の映像音声情報を再生するものであってもよい。
【０１７３】
[７]さらに、本発明に係る映像音声情報記録再生装置は、前記消去候補提示手段は、前記消去候補の映像音声情報がシリーズの一部である場合、代表的なものだけを再生するものであってもよい。
【０１７４】
[８]さらに、本発明に係る映像音声情報記録再生装置は、前記消去候補提示手段は、映像音声情報の内容に応じて、映像音声情報中の再生する箇所を変えるものであってもよい。
【０１７５】
[９]本発明に係る映像音声情報記録再生方法は、映像または音声の少なくとも一方を含む映像音声情報を記録可能な映像音声情報記録再生装置において、
既に記録された映像音声情報の中で消去候補の映像音声情報を抽出する消去候補抽出ステップと、
映像音声情報記録再生装置の空き時間を検出する空き時間検出ステップと、
前記空き時間において前記消去候補の映像音声情報を提示する消去候補提示ステップと、
前記消去候補の映像音声情報を消去する消去ステップとを含むものであってもよい。
【０１７６】
最後に、制御部１０は、ＣＰＵ（Central Processing Unit）を用いてソフトウェアによって実現してもよいし、ハードウェアロジックによって構成してもよい。ソフトウェアによって実現する場合は、映像音声情報記録再生装置１００は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである映像音声情報記録再生装置１００の制御プログラムのプログラムコード（実行形式プログラム、中間コードプログラム、ソースプログラム）をコンピュータで読み取り可能に記録した記録媒体を、映像音声情報記録再生装置１００に供給し、映像音声情報記録再生装置１００内のコンピュータ（またはＣＰＵやＭＰＵ（Micro Processing Unit））が記録媒体に記録されているプログラムコードを読み出し実行することによっても、達成可能である。
【０１７７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７８】
また、映像音声情報記録再生装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８０】
本発明は、映像または音声の少なくとも一方を含む映像音声情報を記録可能な映像音声情報記録再生装置に適用することが可能であり、特に、記録した映像音声情報を、ユーザの操作に応じて消去することができる映像音声情報記録再生装置に好適に利用することができる。
【図面の簡単な説明】
【０１８１】
【図１】本実施の一形態に係る映像音声情報記録再生装置の構成を示すブロック図である。
【図２】図１に示した映像音声情報記録再生装置において、消去候補となる映像音声情報を表示する画面例を示す模式図である。
【図３】図１に示した映像音声情報記録再生装置にて取り扱う管理情報に含まれる情報および、各情報の具体値を模式的に示す図である。
【図４】図１に示した映像音声情報記録再生装置にて取り扱う消去候補リストに含まれる情報および、各情報の具体値を模式的に示す図である。
【図５】図１に示した映像音声情報記録再生装置にて取り扱う再生開始位置情報に含まれる情報および、各情報の具体値を模式的に示す図である。
【図６】図１に示した映像音声情報記録再生装置において、消去する候補となる映像音声情報をユーザに提示し、ユーザが該映像音声情報を消去または保存する処理の流れを示すフローチャートである。
【図７】本実施の他の形態に係る映像音声情報記録再生装置の構成を示すブロック図である。
【図８】図７に示した映像音声情報記録再生装置にて取り扱う消去候補リストに含まれる情報および、各情報の具体値を模式的に示す図である。
【図９】図７に示した映像音声情報記録再生装置において、消去する候補となる映像音声情報として、関連性の高い映像音声情報が複数存在する場合、ユーザが該映像音声情報を消去または保存する処理の流れを示すフローチャートである。
【図１０】図７に示した映像音声情報記録再生装置において、関連性の高い他の映像音声情報の消去可否を確認する画面例を示す模式図である。
【符号の説明】
【０１８２】
１２    入力操作有無検出部（ユーザ操作検出手段）
１３    消去候補リスト生成部（消去候補選出手段）
１４    記録データ更新部（映像音声情報消去手段）
１５    ユーザインタフェース処理部（映像音声情報提示手段）
２３    管理情報記憶部
２４    再生開始位置記憶部
１００  映像音声情報記録再生装置
１０１  映像音声情報記録再生装置
６００  消去候補リスト
６１０  消去候補リスト
【図１】
2008234812.tif 000003
【図２】
2008234812.tif 000004
【図３】
2008234812.tif 000005
【図４】
2008234812.tif 000006
【図５】
2008234812.tif 000007
【図６】
2008234812.tif 000008
【図７】
2008234812.tif 000009
【図８】
2008234812.tif 000010
【図９】
2008234812.tif 000011
【図１０】
2008234812.tif 000012